(57)【要約】【課題】ゼロリンク方式の書き換え型ディスク記録媒体に対する再生時の再生信頼性を維持する記録方法、ディスク記録装置を提供する。【解決手段】光ディスクからの再生ウォブル信号に同期した第1のタイミング検出手段と、再生トラック信号に同期した第２のタイミング検出手段と、上記１のタイミングと、第２のタイミングの位相差を検出する検出手段と、検出した位相差から記録領域を決定する制御手段より、ディスク記録装置を構成する。【選択図】  図１
2004206815.tif 000002
【特許請求の範囲】
【請求項１】
書き換え型光ディスクに対するディスク記録装置であって、
再生ウォブル信号に同期した第１のタイミング検出手段と、
トラック再生信号に同期した第２のタイミング検出手段と、
前記１のタイミングと、第２のタイミングの位相差を検出する位相差検出手段と、
検出した位相差から記録対象データの記録領域を決定する制御手段と、
を備えることを特徴としたディスク記録装置。
【請求項２】
書き換え型光ディスクに対するディスク記録装置であって、
再生ウォブル信号に同期した第１のタイミング検出手段と、
トラック再生信号に同期した第２のタイミング検出手段と、
前記１のタイミングと、第２のタイミングの位相差ｙＴ（ｙは正数、Ｔはディスク上の記録マーク長の基本単位であるチャネルビット）を検出する位相差検出手段と、
検出した位相差ｙＴと、トラック再生信号から検出される同期信号の周期誤差許容値ｗＴ（ｗは正数）の関係が、
｜ｙ｜＞｜ｗ｜なら記録トラックの書換えを交替領域或いは空き領域に対して行い、
｜ｙ｜≦｜ｗ｜なら目的の記録トラックに対して行う制御手段と、
を備えることを特徴としたディスク記録装置。
【請求項３】
請求項１のディスク記録装置において、
前記制御手段は、検出した位相差ｙＴ（ｙは正数、Ｔはディスク上の記録マーク長の基本単位であるチャネルビット）からトラック再生信号に対するエラーデータ量ｎ（ｎは自然数）を演算し、それとエラーデータに対する許容量ｍ（ｍは自然数）との関係が、
ｎ ＞ ｍ なら記録トラックの書換えを交替領域或いは空き領域に対して行い、ｎ ≦ ｍ なら目的の記録トラックに対して行うことを特徴としたディスク記録装置。
【請求項４】
書き換え型光ディスクに対するディスク記録装置であって、
再生ウォブル信号に同期した第１のタイミング検出手段と、
トラック再生信号に同期した第２のタイミング検出手段と、
前記第１のタイミングと、第２のタイミングの位相差を検出する位相差検出手段と、
前記第１のタイミング、或いは、第２のタイミングの何れかを選択する選択手段と、
前記位相差検出手段により検出された位相差に基づいて前記選択手段を選択制御し、選択したタイミングに従い記録トラックへ記録を制御する制御手段と、
を備えることを特徴としたディスク記録装置。
【請求項５】
書き換え型光ディスクに対するディスク記録装置であって、
再生ウォブル信号に同期した第１のタイミング検出手段と、
トラック再生信号に同期した第２のタイミング検出手段と、
前記第１のタイミングと、第２のタイミングの位相差ｙＴ（ｙは正数、Ｔはディスク上の記録マーク長の基本単位であるチャネルビット）を検出する位相差検出手段と、
前記第１のタイミング、或いは、第２のタイミングの何れかを選択する選択手段と、
検出した位相差ｙＴと、トラック再生信号から検出される同期信号の周期誤差許容値ｗＴ（ｗは正数）の関係が、
｜ｙ｜＞｜ｗ｜なら前記第２のタイミングを選択し、
｜ｙ｜≦｜ｗ｜なら前記第１のタイミングを選択する制御手段と、
を備えることを特徴としたディスク記録装置。
【請求項６】
請求項４のディスク記録装置において、
前記選択制御は、検出した位相差ｙＴ（ｙは正数、Ｔはディスク上の記録マーク長の基本単位であるチャネルビット）からトラック再生信号に対するエラーデータ量ｎ（ｎは自然数）を演算し、それとエラーデータに対する許容量ｍ（ｍは自然数）との関係が、
ｎ ＞ ｍ なら第２のタイミングを選択し、
ｎ ≦ ｍ なら第１のタイミングを選択することを特徴としたディスク記録装置。
【請求項７】
書き換え型光ディスクに対するディスク記録方法であって、
再生ウォブル信号に同期した第1のタイミングと、トラック再生信号に同期した第２のタイミングから位相差を検出し、検出した位相差から、記録対象データの記録領域を決定し、
決定した記録領域に対する記録制御を行うことで記録対象データの記録を行なうことを特徴としたディスク記録方法。
【請求項８】
書き換え型光ディスクに対するディスク記録方法であって、
再生ウォブル信号に同期した第1のタイミングと、トラック再生信号に同期した第２のタイミングから位相差を検出し、検出した位相差に従い、前記第１のタイミング、或いは、第２のタイミングの何れかから記録タイミングを選択し、選択した記録タイミングに従いディスクに対する記録を制御することを特徴としたディスク記録方法。
【発明の詳細な説明】
【０００１】
【発明の属する技術分野】
本発明は、記録方法、ディスク記録装置に関し、特に書き換え型ディスク記録媒体をコンピュータ用途として使用する場合の記録方法と、その記録方法が適用されるディスク記録装置に関する。
【０００２】
【従来の技術】
書き換え型の光ディスク記録媒体としてはＤＶＤ-ＲＡＭをはじめ、ＤＶＤ−ＲＷ、ＤＶＤ＋ＲＷ、ＣＤ-ＲＷ、ＣＤ−ＲＷが知られている。書き換え型ディスク記録媒体を、ハードディスク装置と同様コンピュータ用途として利用するためには、記録情報の再生信頼性を確保する必要がある。
【０００３】
記録情報の追記、書き換えを行う際には記録情報を含む記録トラック同士のリンキング（つなぎ）処理が必要となる。例えば、ＣＤ−ＲＷでは、リンキング時には前後にセクタに相当する大きさのダミーデータを付加することで追記、書き換え時のデータ破壊を防止している。すなわち、冗長なデータを前後に付加することで上書き時のデータ破壊の防止を図っている。一方、DVD-RW、＋RWディスクは、リンキング時に必要な冗長データを極力削減し、ディスク記録容量の減少を抑えたゼロリンク方式が採用されている（ゼロリンク方式について、例えば特許文献１を参照）。
【０００４】
リンキング位置の特定については、ディスクが未記録であってもディスク上の記録位置の特定が行えるように、ディスク上のトラック側面に刻まれたウォブリングに位相変調或いは、ランドプリピットとして刻まれた同期信号、アドレス情報を再生することで特定される。
【０００５】
【特許文献１】
特開２０００−３１１４４９号公報  （第９−１０頁、第４図、第５図）
【０００６】
【発明が解決しようとする課題】
前述したように、ＣＤ−ＲＷにおける追記、書換え時には、セクタ単位のダミーデータを付加するため、多少の記録ずれが生じてもデータが破壊されるという事態は生じない。しかし、ＤＶＤ−ＲＷ，ＤＶＤ＋ＲＷにおける追記時はゼロリンク方式が採用されるため小さな記録ずれによってもデータ破壊という事態が生じうる。以下、ゼロリンク方式において生じる問題を図２を用いて具体的に説明する。
【０００７】
図２(ａ)は理想的なゼロリンキング状態を示す。記録対象ＥＣＣブロック（訂正処理の単位）の前に８Ｔ(Ｔはディスク上の記録マーク長の基本単位であるチャネルビット)分のダミーデータを加え、前ＥＣＣブロックの終端８Ｔのリンキング位置(１６番目のウォブル位置)からダミーデータの記録を開始し、記録対象ＥＣＣブロック終端から８Ｔのリンキング位置(１６番目のウォブル位置)で記録を停止することでＥＣＣブロック単位での書換え、追記を行う。
【０００８】
リンキング位置の特定はウォブル位置とＥＣＣブロック先頭の特定により行う。ＥＣＣブロック先頭の特定については、ＡＤＩＰアドレス、データＩＤより特定され、リンキング位置の特定についてはＡＤＩＰシンク他位相変調部の検出からウォブル位置を特定することで行われる。またデータＩＤ或いはフレームシンクの検出タイミングからも特定可能である。このような理想的なゼロリンキング状態ではＥＣＣブロック内部でのバーストエラー発生によるＥＣＣブロックの再生不能という問題は生じない。
【０００９】
図２（ｂ）（ｃ）はディスク上のウォブル位置に対して、トラック上に記録されたフレームがｙＴ（ｙは正数）前方に進んで記録されたトラックに対し、特定のＥＣＣブロック単位の書換え（リードモディファイライト、ＲＭＷ）を行う際の問題を示してある。以下では一例としてウォブル位置とフレーム間が−１ウォブル（−３２Ｔ）ずれて記録されている場合を示す。
【００１０】
ウォブル位置に対するフレームずれは、ディスク記録装置に依存する要因として、再生ウォブルに同期して生成される１Ｔ単位の記録クロックに含まれるジッタに左右され、特に高速記録の場合は記録クロックの周波数向上でジッタによる周期誤差が累積する。
【００１１】
また、ディスク記録媒体に依存する要因としてウォブリングの形成不良、ディスク上の傷、ごみの付着などによる再生ウォブル信号の品質劣化が考えられる。
【００１２】
（ｂ）はＲＭＷ前端において生じる問題を説明する図である。ウォブル位置に対するフレームずれがｙＴの記録トラックに対し、特定されるウォブル位置を基準にＥＣＣブロック単位の書換えを行った場合、書換え前にはトラック上のマークとして存在していたＥＣＣブロック境界のフレームシンクが上書きされず残ってしまう。
【００１３】
ここで、書換え後の記録トラックに対して再生を行う際に必要なフレームシンクの検出窓動作、復調エラーの発生について説明する。フレームシンクは書換え区間より前の記録トラックにおいては、フレームシンク検出が安定して行われており、フレームシンク検出に同期してフレームデータに対する復調単位の特定が行われるため変調前の記録情報が再生される。
【００１４】
しかしながら書換えが行われたＥＣＣブロック境界付近では、前のフレームシンク検出位置から次のフレームシンク位置を予測し検出窓を開くため、書換えたＥＣＣブロック先頭に位置するフレームシンクに同期したフレームデータの復調は行われない。つまりフレーム同期信号の検出抜けにより、書換えたＥＣＣブロック境界のリンキング位置以降から正しい記録情報が得られず、ＥＣＣブロック内部ではバーストエラーとして伝播する。
【００１５】
フレームシンク検出窓は、フレームシンクが未検出であっても数フレームの期間で周期保護状態であり、フレームシンクの未検出回数がｎ回（ｎは自然数）以上、つまりフレームシンクのロックアウトを検出してからフレームシンクの再引き込み動作に遷移し、初めて見つかったフレームシンクから周期保護を再開する。従って書き換えＥＣＣブロック先頭から、フレームシンクの再引き込みまでに含まれるフレームデータがＥＣＣブロック内部でバーストエラーとなり、書き換えを行ったＥＣＣブロックが再生不能なる場合も生じる。
【００１６】
（ｃ）はＲＭＷ後端において生じる問題を説明する図である。（ｃ）においても（ｂ）と類似の問題が生じ、書換え前に存在していたＥＣＣブロック境界のフレームシンクが上書きにより消失する場合がある。この場合もリンキング位置以降に続くＥＣＣブロックにおいて、フレームシンク検出窓の再引き込みが行われるまでＥＣＣブロック内でバーストエラーが伝播することになる。
【００１７】
図２ではウォブル位置に対してフレームがｙＴ前方に進んでいる場合を説明したが、ウォブル位置に対してフレームがｙＴ後方に遅れている記録トラックに対しＥＣＣブロック単位の書換えを行う際にも同様の問題がある。
【００１８】
またＤＶＤやＣＤはリムーバブル記録メディアという位置付けから、ディスク装置同士の再生互換の維持が課題であり、上記フレームずれに対する書換え動作が行われたディスクに対して再生不可能となる装置の出現を避ける必要がある。
【００１９】
従って以上説明したＥＣＣブロック書換えの結果発生する課題を解決する記録方法、ディスク記録装置を提供することが本発明の目的である。
【００２０】
【課題を解決するための手段】
本発明において上記問題点を解決するディスク記録装置は少なくとも、再生ウォブル信号に同期した第1のタイミング検出手段と、再生トラック信号に同期した第２のタイミング検出手段と、上記１のタイミングと、第２のタイミングの位相差を検出する検出手段と、検出した位相差から記録領域を決定する制御手段を備えるディスク記録装置を構成することで解決可能となる。
【００２１】
また、再生ウォブル信号に同期した第1のタイミング検出手段と、再生トラック信号に同期した第２のタイミング検出手段と、上記第1のタイミングと、第２のタイミングの位相差を検出する検出手段と、第1或いは、第2のタイミングに対する選択手段と、検出した位相差から、選択手段は選択制御され、選択されたタイミングに従い記録トラックへ記録を制御する制御手段を備えるディスク記録装置を構成することでも解決可能である。
【００２２】
【発明の実施の形態】
以下、本発明について特にウォブル位相変調方式の光ディスクに対するディスク記録装置、記録方法について図面を用いて説明する。
【００２３】
図１は本発明の第１の実施例を示すディスク記録装置である。図１において、１はウォブル位相変調フォーマットの光ディスク、２はディスクモータ、３はディスク記録対応の光ヘッド、４は光ヘッドのフォトディテクタから差信号を生成、ディスク上のトラック側面に刻まれたウォブル信号の再生や、ディスク上の記録トラック上に形成された記録マーク列をトラック再生信号として再生するプリアンプ、５はトラック再生信号に含まれるフレームシンクの検出、周期保護を行うフレームシンク検出手段であり、フレームシンク検出窓幅ｗＴ（ｗは正数）、フレームシンクロックアウト判定回数ｎ回（ｎは自然数）がシステムコントローラ１１により設定される。６はウォブル再生信号に位相変調されているＡＤＩＰシンクの検出、周期保護、更にデータビットの検出を行うＡＤＩＰシンク検出手段、７はフレームシンクの検出からフレームデータの復調を行い、復調データに付加されている誤り訂正符号の復号、訂正処理によってディスクへの記録情報を再生するデータデコーダ、８は復調データに含まれセクタ先頭に存在するデータＩＤの検出を行うデータID検出手段、９はＡＤＩＰシンクの検出以降に再生され０，１を示すデータビットのラッチによりＡＤＩＰワードを復元し、誤り訂正符号（RS-ＥＣＣ）の復号、訂正処理の後ＡＤＩＰアドレスの検出を行うＡＤＩＰアドレス検出手段、１０はフレームシンク検出手段５におけるフレームシンク検出タイミングと、ＡＤＩＰシンク検出手段６におけるＡＤＩＰシンク検出タイミングとの間でタイミング位相差を計測し、位相差情報ｙＴ（ｙは正数）を得る位相差検出手段、１１は記録装置全体の制御を行い、インターフェイス手段１２を介して、ホストコンピュータとのデータ転送を制御したり、ディスク再生で得られたアドレス情報から記録目的のトラックへのアクセスを制御するためにサーボ手段１６に対して制御信号を生成するシステムコントローラ、１２はホストコンピュータとディスク記録装置との間でデータ転送を行うためのインターフェイス手段、１４はホストコンピュータより転送されたディスクへの記録情報に対し、誤り訂正符号、データIDの付加、データ変調処理を含むフレーム化処理、フレームシンクの付加を行うデータエンコーダ、１５はデータエンコーダからの記録信号に対する記録トラック上の記録マークを形成する際に必要な記録パルスを生成するレーザードライバ、１６はディスクモータ２の回転制御、光ヘッド３に対するフォーカス、トラッキング、ディスク半径方向の移動を制御するサーボ手段である。
【００２４】
図１のディスク記録装置において行われる記録動作について図３のフローチャートを用いて説明する。ホストコンピュータよりインターフェイス手段を介して記録命令（記録トラックに対する先頭アドレス、記録ブロック数）、記録情報の伝送が行われると、システムコントローラ１１は、光ディスク上の目的のトラック位置へ光ヘッド３の移動、アクセスを制御するため、サーボ手段１６にアクセス制御命令を発する。
【００２５】
サーボ手段はディスクモータ２、光ヘッド３に対してフォーカス、トラッキング、回転制御信号を生成し、システムコントローラ１１はディスク１のウォブル再生信号或いは、トラック再生信号から得られるＡＤＩＰアドレス或いは、データＩＤの検出結果から、目的の記録トラックへのシーク、アクセスを行う（ステップ４０１、４０２、４０３）。
【００２６】
一方で位相差検出手段１０においては、フレームシンク検出手段５からの検出タイミングと、ＡＤＩＰシンク検出手段６からの検出タイミングとの位相差ｙTを検出し（ステップ４０４）、システムコントローラ１１は位相差ｙＴと、フレームシンク検出手段５に設定されるフレームシンク検出窓幅ｗT（すなわちフレーム同期信号に対する検出保護を行う際の周期誤差許容値）を比較、ディスク再生時のフレームシンク検出が連続的に可能であるか判断する（ステップ４０５）。
【００２７】
具体的にはｙＴ＞ｗＴの関係が成立すれば、図２で説明した再生時のフレームシンク未検出からロックアウト検出（ｎフレーム）、再引き込みが行われるまでに再生されるフレームデータがバーストエラーとして再生時のＥＣＣブロック内に伝播すると判断し、ステップ４０６へ処理を移す。ｙ≦ｗの関係であれば、フレームシンク未検出に伴うバーストエラー伝播は回避可能と判断し、ステップ４０７においてＡＤＩＰシンク検出より特定したウォブル位置とＡＤＩＰアドレス、或いはデータＩＤよりＥＣＣブロック境界のリンキング位置を特定しＥＣＣブロック単位での書換えを行う。
【００２８】
ステップ４０５においてＥＣＣブロック内にバーストエラーが伝播すると判断された場合には、書換えを行う記録トラックとは別のディスク記録領域にあらかじめ確保されている交替領域や、ディスク上の空き領域に書換えＥＣＣブロックを記録し、本来書換えられるべきＥＣＣブロックは欠陥と判断する。更に欠陥と判断したＥＣＣブロックに対するアドレス情報、交替記録されたＥＣＣブロックに対するアドレス情報を管理テーブルに反映しディスクに記録する。ステップ４０６の交替処理はシステムコントローラ１１で制御或いは、インターフェイス手段１２を介してホストコンピュータによって制御される。
【００２９】
図４は本発明の第２の実施例を示すディスク記録装置である。図４において、１３はシステムコントローラ１１の選択命令に従い記録タイミングを選択する選択手段であり、その他については図１と同一の符号をつけて説明を省略する。
【００３０】
図４のディスク記録装置において行われる記録動作について図５のフローチャートを用いて説明する。ステップ６０１からステップ６０４の処理については、図３のステップ４０１からステップ４０４の処理と、システムコントローラ１１によるディスク記録装置の制御については同様であり説明を省略する。
【００３１】
ステップ６０４においてフレームシンク検出タイミングと、ＡＤＩＰシンク検出タイミングとの位相差ｙTを位相差検出手段１０で検出後、システムコントローラ１１は位相差ｙＴとフレームシンク検出窓幅ｗTを比較、ＥＣＣブロックの書換えをＡＤＩＰシンク検出から特定されるウォブル位置に同期させた記録を行った場合でディスク再生時のフレームシンク検出が連続的に可能であるか、ＥＣＣブロック内のバーストエラー伝播を判断する（ステップ６０５）。
【００３２】
ステップ６０５においてバーストエラー伝播が回避可能と判断される場合には、選択手段１３で選択される記録タイミングにＡＤＩＰシンク検出タイミングを選択する（ステップ６０８）。データエンコーダ１４は選択されたタイミングに従い、ディスク上のウォブル位置に対応するＥＣＣ境界（リンキング位置）を特定し、記録トラックへのフレームの記録、ＥＣＣブロック単位の書換えを行う。
【００３３】
ステップ６０５においてＥＣＣブロック内にバーストエラーが伝播すると判断された場合には、選択手段１３で選択される記録タイミングにフレームシンク検出タイミングを選択する（ステップ６０６）。データエンコーダ１４は選択されたタイミングにディスクへの記録タイミングを同期させ、記録トラック上のフレーム位置に対応したＥＣＣ境界（リンキング位置）を特定し、記録トラックへのフレームの記録、ＥＣＣブロック単位の書換えを行う。
【００３４】
なお、第１の実施例における分岐判断（ステップ４０５）、第２の実施例における分岐判断（ステップ６０５）は、ステップ４０４、または、ステップ６０４の処理を数回繰り返した後に行うことで、記録トラック上のフレーム位置とウォブル位置の位相差検出の信憑性が向上し、適切な分岐が可能となる。従って第1の実施例の場合は、交替処理実行が抑えられ、再生時のデータ転送レート低下を極力抑えることが可能となり、第２の実施例の場合は、情報の書換えに適する記録タイミングの選択が可能となる。
【００３５】
また、ステップ４０５，６０５の分岐判断において、位相差ｙＴとの比較対象はフレームシンク検出窓幅ｗＴに限定されず、ディスク再生時のフレーム同期信号検出周期変動に対する許容量を示す情報なら良い。
【００３６】
さらに、ステップ４０５，６０５において、フレームシンク検出手段５に設定される検出窓のロックアウト検出条件ｎ回から、フレーム同期信号未検出に起因するバーストエラーの伝播フレーム数をシステムコントローラ１１において演算し、分岐処理を行うことも考えられる。
【００３７】
具体的には、ロックアウト条件がｎ回の場合のエラーフレーム数は図２（ｂ）（ｃ）共に約（ｎ＋１）フレームであり、システムコントローラ１１はバーストエラーフレーム数（ｎ＋１）、或いはそれに含まれるデータ量が、判定値ｍ（ｍは自然数）を超えた場合にはステップ４０６（６０６）へ、ｍ以下であればステップ４０７（６０８）への分岐を判断する。
【００３８】
ｍの値は光ディスク１に対する記録情報の誤り訂正単位であるＥＣＣブロックが持ち合わせる訂正能力から決定される。従って再生時に行われるＥＣＣブロックの誤り訂正能力も考慮したステップ４０６（６０６）、ステップ４０７（６０８）への適切な分岐が可能となり、第１の実施例の場合は、交替処理に伴う転送レートの低下を極力抑えることが可能となり、第２の実施例の場合は、情報の書換えに適する記録タイミングの選択が可能となる。
【００３９】
この場合も、フレームシンク検出手段５に設定される検出窓のロックアウト検出条件ｎ回からエラーフレーム数を判断することに限定されず、再生トラック信号に対する同期外れ発生から再引き込みが行われる間のフレーム数、データ量を示す情報なら良い。
【００４０】
なお、第１、第２の実施例における位相差の検出や記録タイミングの生成に用いられるフレームシンク、ＡＤＩＰシンク検出タイミングの組み合わせに代えて、データID検出手段８での検出タイミング、ＡＤＩＰアドレス検出手段９での検出タイミングの組み合わせを用いても構わない。またＡＤＩＰシンク検出タイミングに代えてデータビット検出タイミングを用いることも考えられる。データビットはＡＤＩＰシンクに比べ多く位相変調され、検出確率も高い。従ってフレームシンクと組合わせることで、位相差検出を短時間に繰返し行える利点がある。変調されるウォブル位置の違いでデータ０、データ１を識別するデータビットを有する光ディスクにおいては、位相差検出の際にウォブル位置の違いを考慮しながら位相差検出を行う。データ０またはデータ１のいずれかのみのデータビットを有する光ディスクにおいては、そのような考慮が不要となる。
【００４１】
以上に述べたように位相差検出、記録タイミング生成の際に必要な検出タイミングは、トラック再生信号に同期したタイミングとウォブル再生信号に同期したタイミングの組合せであれば良いことになる。
【００４２】
またランドプリピット（ＬＰＰ）フォーマットの光ディスクに対する書換えを行う場合にも図１、図４のディスク記録装置における構成要素の一部を入れ替えるのみで図３、図５と同様の記録方法が適用され、同様の効果を得ることができる。
【００４３】
具体的にはＡＤＩＰシンク検出手段６、ＡＤＩＰアドレス検出手段９を、LPP信号に含まれる同期信号、アドレス情報のそれぞれの検出手段であるＬＰＰシンク検出手段、ＬＰＰアドレス検出に置換すればよい。これにより選択手段１３にはフレームシンク検出タイミングと、ＬＰＰシンク検出タイミングが接続されることになり、第１または第２の実施例と同様の効果を得ることができる。
【００４４】
【発明の効果】
本発明によると、ディスク記録情報の再生信頼性の向上を達成できる。
【図面の簡単な説明】
【図１】第１の実施例のディスク記録装置を示すブロック図。
【図２】フレームずれに対し書換えを行う際の課題の説明図。
【図３】図１のディスク記録装置での記録方法を示すフローチャート。
【図４】第２の実施例のディスク記録装置を示すブロック図。
【図５】図４のディスク記録装置での記録方法を示すフローチャート。
【符号の説明】
１…光ディスク、２…ディスクモータ、３…光ヘッド、４…プリアンプ、５…フレームシンク検出手段、６…ＡＤＩＰシンク検出手段、７…データデコーダ、８…データID検出手段、９…ＡＤＩＰアドレス検出手段、１０…位相差検出手段、１１…システムコントローラ、１２…インターフェイス手段、１３…選択手段、１４…データエンコーダ、１５…レーザードライバ、１６…サーボ手段
【図１】
2004206815.tif 000003
【図２】
2004206815.tif 000004
【図３】
2004206815.tif 000005
【図４】
2004206815.tif 000006
【図５】
2004206815.tif 000007